(57)【要約】【課題】  上蓋の不正開放を効果的に防止する方法の創出を課題とし、もって安心して使用できる蓋付きカップ状容器を提供することを目的とする。【解決手段】  内容物を収納したカップ状の容器本体の上端部を有頂短筒状の上蓋で覆って使用する容器において、上蓋の外表面に溝状の凹部を形成し、帯状フィルムにより、この帯状フィルムの一部を前記凹部の底面に沿わせた状態で、容器全体を上下方向に回巻する。【選択図】図１
2005313972.tif 000002
【特許請求の範囲】
【請求項１】
内容物(L)を収納したカップ状の容器本体(1)の上端部を有頂短筒状の上蓋(4)で覆って使用する容器において、該上蓋(4)の外表面に溝状の凹部(8)を形成し、帯状フィルムにより、該帯状フィルムの一部を前記凹部(8)の底面(8a)に沿わせた状態で、容器全体を上下方向に回巻したことを特徴とする蓋付きカップ状容器。
【請求項２】
上蓋(4)を、頂壁(5)の周縁部に突条状の補強リブ(7)を形成した形状とし、前記上蓋(4)周縁部の、中心軸対称状に相対向する位置で、前記補強リブ(7)の頂部(7a)から上蓋側壁(6)にかけての部分に、一対の凹部(8)を形成したことを特徴とする請求項１記載の蓋付きカップ状容器。
【請求項３】
帯状フィルムが容易に破断できるように、該帯状フィルムにミシン目(12)を形成した請求項１または２記載の蓋付きカップ状容器。
【発明の詳細な説明】
【技術分野】
【０００１】
本発明は本発明は、蓋付きのカップ状容器に関する。
【背景技術】
【０００２】
たとえば特許文献１にはシール蓋付きのカップ状容器に関する発明が記載されている。これらの容器は従来からたとえばヨーグルト、ジャム、インスタントラーメン等の幅広い用途に使用されている。容器本体はプラスチック製、紙積層材料製、アルミ等の金属製のものがあり、その形状は上端開口部が円形状や楕円形状や角を丸めた矩形状である。そしてこれらカップ状容器は内容物を収納後、容器本体の上部開口部の周縁に周設したフランジに、下面側に適度の剥離性を有する熱融着層を積層した、積層プラスチックフィルム製、アルミラミネート製等のシール蓋材を熱融着して密封状にして使用される。
【０００３】
また、さらには外観的に商品性を向上させる目的と共に、販売等の際にシール蓋材が不正に開かれたりしないようにシール蓋材を覆うようにして容器本体の上端部に上蓋を被せて使用されることが多く、そしてこのシール蓋材と上蓋の間に内容物に加えて使用する食材を封入した小袋を入れて使用することもある。たとえば内容物がヨーグルトでは顆粒状の砂糖を小袋に封入して使用するし、インスタントラーメンの場合には具材、スープの素等を小袋に封入して使用する。
【特許文献１】特開平８−２５８８５９号公報
【発明の開示】
【発明が解決しようとする課題】
【０００４】
しかしながら上蓋自体は使用時に簡単に取り外すことができるように容器本体の上端開口部のフランジの周縁に軽くアンダーカット状に組付き固定されているだけなので、店頭で不正に上蓋が外されて、小袋が紛失したりする恐れもあり、より安全性、あるいは安心感の高い包装様式への要請がある。
【０００５】
本発明は上記したような要請に対応すべく創案されたものであり、上蓋の不正開放を効果的に防止する方法の創出を課題とし、もって安心して使用できる蓋付きカップ状容器を提供することを目的とする。
【課題を解決するための手段】
【０００６】
上記技術的課題を解決する手段のうち、請求項１記載の発明の手段は、
内容物を収納したカップ状の容器本体の上端部を有頂短筒状の上蓋で覆って使用する容器において、
上蓋の外表面に溝状の凹部を形成すること、
環状に形成された帯状フィルムにより、この帯状フィルムの一部を前記凹部の底面に沿わせた状態で、容器全体を上下方向に回巻すること、
にある。
【０００７】
請求項１記載の上記構成は、一部を上蓋の外表面に形成した溝状の凹部に沿わせた状態で、帯状フィルムで容器全体を上下方向に回巻した構成であり、この帯状フィルムは上蓋上面から容器本体の胴部、底部そして上蓋上面に戻るような態様で上下方向の１周に亘って、容器全体をバンド状に回巻する。
【０００８】
そしてこの帯状フィルムは、上記のようにその一部は凹部の底面に沿って配設され、横方向への移動が溝状の凹部の側壁により係止されるので、帯状フィルムを破断しない限りこの帯状フィルムを取り外すことができず、従って上蓋を容易に取り外すことができない。
【０００９】
また、たとえ帯状フィルムを破断して取り外したとしても、元の状態には戻すことができないので、不正に開放された場合にはそのことを確実に認識することができ、安心して使用することができる。
【００１０】
また、透明な帯状フィルムを使用すれば、帯状フィルム自体は極く薄肉にすることができ、また容器に略密着した状態とすることもできるので、たとえば上蓋の頂壁、容器本体の側壁等に印刷した模様、図案、文字等による装飾、あるいは表示効果を損なうことがない。
【００１１】
請求項２記載の発明の手段は、請求項１記載の発明において、
上蓋を頂壁の周縁部に突条状の補強リブを形成した形状とすること、
上蓋周縁部の、中心軸対称状に相対向する位置で、前記補強リブの頂部から上蓋側壁にかけての部分に、一対の凹部を形成すること、にある。
【００１２】
たとえば、ヨーグルト用の容器等で熱成形で成形される薄肉の容器において、上蓋は裏返した状態でトレー状であるが、全体の剛性の確保のために頂壁の周縁部には一部を除いて、壁を屈曲させて突条状の補強リブが形成される。
【００１３】
請求項２記載の上記構成は、この突条状に形成された補強リブ部分を利用して、上蓋に凹部を形成するものであり、溝深さの深い凹部を形成することができ、
中心軸対称状に相対向する一対のこの深い凹部に帯状フィルムを橋渡し状に配設することにより、帯状フィルムの横方向への抜けを確実に防止することができる。
【００１４】
請求項３記載の発明の手段は請求項１または２記載の発明において、帯状フィルムが容易に破断できるように、この帯状フィルムにミシン目を形成しておくこと、にある。
【００１５】
請求項３記載の上記構成により、本来の使用時にはミシン目を利用して容易に帯状フィルムを破断することができる。
【発明の効果】
【００１６】
本発明は上記した構成であり、以下に示す効果を奏する。
請求項１記載の発明にあっては、容器全体を上下方向に回巻する帯状フィルムは、横方向への移動が上蓋に形成した凹部の側壁により係止されるので、破断しない限りこの帯状フィルムを取り外すことができず、従って上蓋を容易に取り外すことができない。
【００１７】
また、たとえ帯状フィルムを破断して取り外したとしても、元の状態には戻すことができないので、不正に開放された場合にはそのことを確実に認識することができ、安心して使用することができる。そして透明な帯状フィルムを使用すれば、上蓋の頂壁、容器本体の側壁等に印刷した模様、図案、文字等による装飾、あるいは表示効果を損なうことがない。
【００１８】
請求項２記載の発明にあっては、突条状に形成された補強リブ部分を利用して、上蓋に溝深さの深い凹部を形成することができ、相対向する一対のこの深い凹部に帯状フィルムを橋渡し状に配設することにより、帯状フィルムの横方向への抜けを確実に防止することができる。
【００１９】
請求項３記載の発明にあっては、本来の使用時にはミシン目を利用して容易に帯状フィルムを破断することができる。
【発明を実施するための最良の形態】
【００２０】
以下本発明の実施の形態を図面を参照して説明する。
図１、図２は本発明の蓋付きカップ状容器の一実施例を示すもので、図１はその斜視図、図２は部分縦断正面図である。本容器はヨーグルト用の容器であり、砂糖を収納した小袋Ｓを上蓋４内部に収納するタイプの一例である。
【００２１】
容器本体１はポリエチレン樹脂（以下ＰＥと記す。）製の熱成形したカップ状のものであり、その胴部の平断面形状は角取した矩形状であり、上端開口部の周囲にはフランジ２が周設されている。また容器本体１は、内容物Ｌ（本実施例ではヨーグルト）を収納した状態で、その上端開口部をシール蓋材３で密封して保管、販売される。シール蓋材３は適度の剥離性を有して容器本体１のフランジ２に接着されており、このシール蓋材３には基材となるプラスチックフィルム、アルミラミネートフィルム等の下面に、例えばエチレン-酢酸ビニール共重合体等のホットメルトタイプの熱融着層を積層したものを使用することができる。（図２参照）
【００２２】
有頂短矩形筒状の上蓋４は、容器本体１同様にＰＥを熱成形したものであり、裏返した状態でトレー状であり、頂壁５の周縁部には上蓋４全体の剛性の確保、あるいは容器の積み重ねのために頂壁５を屈曲させて突条状の補強リブ７が形成されている。また、４箇所に補強リブ７の頂部７ａから上蓋側壁６にかけて溝状の凹部８が形成されている。そして補強リブ７の頂部７ａにおいは、凹部８の底面８ａが頂壁５の上面と同レベルになるような溝深さとしている。
【００２３】
上蓋４の下端縁近傍には係止片９を複数設け、上蓋４をした時に容器本体１のフランジ２の縁部に取り外しが容易にできる状態で、軽く係止するようにしている。
【００２４】
また、本実施例では小袋Ｓはプラスチックフィルムから形成され、ヨーグルトに添加するための顆粒状の砂糖が封入されたものであり、シール蓋材３の上に載積された状態にある。（図２参照）
【００２５】
また、本実施例では帯状フィルムとして環状のシュリンクフィルム１１を使用している。そしてこのシュリンクフィルム１１はその一部を一対の凹部８の底面８ａに沿って位置させて、頂壁５から、凹部８、容器本体側壁１ａ、容器本体底部１ｂ、容器本体側壁１ａ、凹部８を経て頂壁５に戻るような態様で、すなわち容器全体を上下方向にバンド状に回巻した状態にある。そしてこのシュリンクフィルム１１は凹部８の底面８ａも含めて略全周に亘って容器の表面に密着している。
【００２６】
上記のようにシュリンクフィルム１１で容器全体を回巻しているので、凹部８の係止機能によりシュリンクフィルム１１を横方向にずらして外すことはできない。従って、たとえば悪戯で小袋Ｓを取ってしまうような行為を効果的に防止することができる。
【００２７】
また、たとえシュリンクフィルム１１を破断して取り外したとしても、元の状態には戻すことができないので、不正に開放された場合にはそのことを確実に認識することができ、安心して使用することができる。
【００２８】
本来の使用時には、ミシン目１２の部分を利用して容易にシュリンクフィルム１１を破断することができる。
【００２９】
なお、シュリンクフィルム１１の容器全体への密着状の回巻は、周長を長めに、環状に形成したシュリンクフィルム１１を容器に上下方向に回巻するように外嵌し、加熱収縮させることにより容易に達成することができる。なお、シュリンクフィルム１１としては、従来より各種容器の外装に一般的に使用されているものを使用することができる。
【００３０】
ここで、上記実施例では補強リブ７の４箇所に凹部８を形成し、そのうち対向する一対の凹部８をシュリンクフィルム１１の係止に利用しているが、この４箇所に形成した凹部８は、上蓋４の成形工程後に補強リブ７を利用して上蓋４を上下方向に積み重ねて保管する作業（スタック作業）等において、補強リブ７を変形し易くし、その作業性を向上するための機能を発揮する。
【００３１】
以上、ヨーグルト用の容器を例にして本発明の実施形態を説明したが、本発明の作用効果は上記実施例に限定されるものではない。
たとえば、上蓋４が平坦な頂壁５を有する形状であっても、上蓋４の頂壁５を横断するように溝状の凹部８を形成する等、シュリンクフィルム１１への係止機能を発揮できる位置に、上蓋４の成形性、外観等を考慮しながら形成すれば良い。
また、必要に応じてたとえば底部１ｂ等、容器本体１にも凹部８を形成してシュリンクフィルム１１の移動をより効果的に係止することもできる。
【００３２】
また、帯状フィルムは上記実施例の環状のシュリンクフィルム１１に限定されるものでなく、通常のフィルムを帯状に形成し、その一部を上蓋４の凹部８の底面８ａに沿わせながら容器全体を上下方向に回巻し、熱溶着によって両端部を接合して使用することもできる。
【００３３】
また、上記実施例では容器本体および上蓋としてＰＥを使用した例を示したが、容器本体には、各種のプラスチック製、紙積層材料製あるいは金属製などのカップ状容器を使用することできる。すなわちポリエチレン、ポリプロピレン、ポリスチレン、ポリ塩化ビニールなどのプラスチック製の、またこれらと他の合成樹脂やアルミニウム箔などとの積層プラスチック製の、さらにこれらと紙材料やアルミニウム箔などとの紙積層材料製の、またアルミニウムなどの金属製の、適宜にカップ状やトレー状などに成形した、上部開口が円形状や楕円形状や角を丸めた長方形状の、上部開口周辺にフランジを設けたカップ状容器を、特に制約なく用いることができる。
【００３４】
また本発明に係る容器は様々な用途に特に制約なく用いることができる。たとえばインスタントラーメン用の容器においても同様に具材、粉末スープ等を封入した小袋をシール蓋材と上蓋の間に収納して販売することが多く、このようなケースでも本発明の作用効果が十分発揮される。
【産業上の利用可能性】
【００３５】
以上説明したように本発明の蓋付きカップ状容器は、より安心して使用できるものであり、さらに幅広い使用が期待される。
【図面の簡単な説明】
【００３６】
【図１】本発明の容器の一実施例を示す斜視図である。
【図２】図１の容器の部分縦断正面図である。
【符号の説明】
【００３７】
１  ；容器本体
１ａ；側壁
１ｂ；底部
２  ；フランジ
３  ；シール蓋材
４  ；上蓋
５  ；頂壁
６  ；上蓋側壁
７  ；補強リブ
７ａ；頂部
８  ；凹部
８ａ；底面
９  ；係止片
１１；帯状フィルム
１２；ミシン目
Ｌ  ；内容液
Ｓ  ；小袋
【図１】
2005313972.tif 000003
【図２】
2005313972.tif 000004